(57)【要約】【課題】使用者が容器本体を開栓している感覚をより一層得ることができるキャップ付き容器を提供する。【解決手段】キャップ付き容器１は、容器本体２と、容器本体２が減圧収縮状態で、その口部２ａに装着されたキャップ３と、を備え、キャップ３は、容器本体２の開栓時に、容器本体２の復元変形により内側に流入する外気によって共鳴音を発する共鳴室５０を有する。【選択図】図１
2020001778.tif 000002
【特許請求の範囲】
【請求項１】
容器本体と、
前記容器本体が減圧収縮状態で、その口部に装着されたキャップと、を備え、
前記キャップは、前記容器本体の開栓時に、前記容器本体の復元変形により内側に流入する外気によって音を発する発音部を有する、ことを特徴とするキャップ付き容器。
【請求項２】
前記キャップは、
前記口部をシールする第１のシール部と、
前記第１のシール部が前記口部から離れた状態で、前記口部の外側をシール可能な第２のシール部と、を有し、
前記発音部は、前記第１のシール部が前記口部から離れ、且つ、前記第２のシール部が前記口部の外側をシールしている状態で、前記口部に連通する前記キャップの内側と、前記キャップの外側とに連通している、ことを特徴とする請求項１に記載のキャップ付き容器。
【請求項３】
前記キャップは、
前記容器本体の口部に装着された有頂筒状の内キャップと、
前記内キャップの外側に着脱可能に装着された有頂筒状の外キャップと、を備え、
前記内キャップは、内キャップ頂壁部に前記第１のシール部を有し、
前記外キャップは、外キャップ頂壁部に前記内キャップと前記外キャップとの間に形成された内外キャップ空間に連通する前記発音部を有すると共に、外キャップ周壁部に前記第２のシール部を有し、前記内外キャップ空間をシールしている、ことを特徴とする請求項２に記載のキャップ付き容器。
【請求項４】
前記容器本体は、径方向内側に向けて窪むパネル部が周方向に間隔をあけて複数形成されると共に、周方向で隣り合う前記パネル部の間に柱部が形成された筒状の胴部を有し、
前記パネル部及び前記柱部は、容器軸方向に対し周方向に傾斜しており、
前記減圧収縮状態のとき、前記胴部が、前記パネル部及び前記柱部による捩じれ変形により容器軸方向に収縮している、ことを特徴とする請求項１〜３のいずれか一項に記載のキャップ付き容器。
【発明の詳細な説明】
【技術分野】
【０００１】
本発明は、キャップ付き容器に関する。
【背景技術】
【０００２】
従来から、下記特許文献１記載のキャップ付き容器が知られている。このキャップ付き容器は、容器本体が開栓されたことを容易に視認できるようにするために、内容物が収容される有底筒状の容器本体と、容器本体の口部に離脱可能に螺着された有頂筒状の蓋本体、及び、蓋本体に破断可能な弱化部を介して連結され、口部の係止部に対して下方から係止する分離リングを有する蓋体と、を備えている。この構成によれば、蓋体の口部に対する螺着を解除することによって弱化部を破断して分離リングを蓋本体から分離させており、弱化部が破断する際に生じる破断音や破断時の感触によって、使用者が蓋体を開栓している感覚を得ることができる。
【先行技術文献】
【特許文献】
【０００３】
【特許文献１】特開２００７−２９７０９７号公報
【発明の概要】
【発明が解決しようとする課題】
【０００４】
しかしながら、上記キャップ付き容器においても、容器本体を開栓している感覚をより一層高めることに対する要求があった。
【０００５】
本発明は、使用者が容器本体を開栓している感覚をより一層得ることができるキャップ付き容器を提供することを目的とする。
【課題を解決するための手段】
【０００６】
（１）本発明に係るキャップ付き容器は、容器本体と、前記容器本体が減圧収縮状態で、その口部に装着されたキャップと、を備え、前記キャップは、前記容器本体の開栓時に、前記容器本体の復元変形により内側に流入する外気によって音を発する発音部を有する、ことを特徴とする。
【０００７】
本発明に係るキャップ付き容器によれば、キャップを回して容器本体を開栓すると、減圧収縮状態の容器本体が、復元変形により伸長して全高が高くなる。また、容器本体の復元変形により容器本体の内側に流入する外気によって、キャップに設けられた発音部から音が発せられる。このため、開栓したことが、視覚的にも聴覚的にも分かるようになる。
このように、キャップを容器本体から離脱させたとき生じる音や形状の変化などにより、容器本体を開栓している感覚をより一層高めることができる。また、このような音や形状の変化を通して、使用者は、キャップ付き容器の開栓、開封が初めてなされたことを強く感じ、容器本体内に収容されている内容物の新鮮さ（例えば内容物の鮮度が高い状態や鮮度が保たれた状態）を容易に認識することができる。
【０００８】
（２）前記キャップは、前記口部をシールする第１のシール部と、前記第１のシール部が前記口部から離れた状態で、前記口部の外側をシール可能な第２のシール部と、を有し、前記発音部は、前記第１のシール部が前記口部から離れ、且つ、前記第２のシール部が前記口部の外側をシールしている状態で、前記口部に連通する前記キャップの内側と、前記キャップの外側とに連通していても良い。
【０００９】
この場合には、キャップを回して容器本体を開栓すると、容器本体の口部をシールしていたキャップの第１のシール部が口部から離れ、キャップの内側と口部とが連通する。キャップには、キャップの内外に連通する発音部が設けられており、キャップの内外の圧力差によって発音部を気体が通過し、音が発生する。ここで、キャップは、第１のシール部が口部から離れた状態で、口部の外側をシールする第２のシール部を有するため、開栓時におけるキャップの内外の圧力差を保持することができる。
【００１０】
（３）前記キャップは、前記容器本体の口部に装着された有頂筒状の内キャップと、前記内キャップの外側に着脱可能に装着された有頂筒状の外キャップと、を備え、前記内キャップは、内キャップ頂壁部に前記第１のシール部を有し、前記外キャップは、外キャップ頂壁部に前記内キャップと前記外キャップとの間に形成された内外キャップ空間に連通する前記発音部を有すると共に、外キャップ周壁部に前記第２のシール部を有し、前記内外キャップ空間をシールしていても良い。
【００１１】
この場合には、容器本体を封止する内キャップの外側に、発音部を有する外キャップを装着することにより、開栓時に音を発生させることができるようになる。具体的には、キャップを回して容器本体を開栓すると、容器本体の口部をシールしていた内キャップの第１のシール部が口部から離れる。ここで、外キャップは、内キャップの第１のシール部が口部から離れた状態で、口部の外側をシールする第２のシール部を有するため、内キャップと外キャップとの間に形成された内外キャップ空間に圧力が保持される。そして、外キャップには、内外キャップ空間に連通する発音部が設けられているため、キャップの内外の圧力差によって発音部を気体が通過し、音が発生する。
【００１２】
（４）前記容器本体は、径方向内側に向けて窪むパネル部が周方向に間隔をあけて複数形成されると共に、周方向で隣り合う前記パネル部の間に柱部が形成された筒状の胴部を有し、前記パネル部及び前記柱部は、容器軸方向に対し周方向に傾斜しており、前記減圧収縮状態のとき、前記胴部が、前記パネル部及び前記柱部による捩じれ変形により容器軸方向に収縮していても良い。
【００１３】
この場合には、容器本体は、筒状の胴部に、容器軸方向に対し周方向に傾斜したパネル部及び柱部を周方向で複数有するため、胴部は、容器本体内の減圧発生に伴うパネル部の径方向内側への陥没変形に加え、胴部全体が捩じれ変形することで、容器軸方向に収縮変形することが可能となる。この容器本体を開栓すると、胴部における捩じれ変形が緩和され、容器本体が容器軸方向に伸長する。そして、容器本体は、減圧状態であるため、開栓時にキャップの外側から内側に向かって外気が流入し、発音部にて音が発生する。
【発明の効果】
【００１４】
本発明に係るキャップ付き容器によれば、キャップを容器本体から離脱させたとき生じる音や形状の変化などにより、容器本体を開栓している感覚をより一層高めることができる。また、このような音や形状の変化を通して、使用者は、キャップ付き容器の開栓、開封が初めてなされたことを強く感じ、容器本体内に収容されている内容物の新鮮さ（例えば内容物の鮮度が高い状態や鮮度が保たれた状態）を容易に認識することができる。
【図面の簡単な説明】
【００１５】
【図１】本発明の第１実施形態に係るキャップ付き容器の正面視における部分断面図である。
【図２】図１に示すキャップ付き容器の要部を拡大した部分断面図である。
【図３】図１に示すキャップ付き容器の開栓時の正面視における部分断面図である。
【図４】図１に示すキャップ付き容器の開栓時の要部を拡大した部分断面図である。
【図５】本発明の第２実施形態に係るキャップ付き容器の正面視における部分断面図である。
【図６】図５に示す内キャップに外キャップを装着したときのキャップ付き容器の正面視における部分断面図である。
【図７】図６に示すキャップ付き容器の要部を拡大した部分断面図である。
【図８】図６に示すキャップ付き容器の開栓時の要部を拡大した部分断面図である。
【発明を実施するための形態】
【００１６】
（第１実施形態）
以下、図面を参照し、本発明の第１実施形態に係るキャップ付き容器を説明する。
【００１７】
図１に示すように、本実施形態のキャップ付き容器１は、内容物が収容される有底筒状の容器本体２と、容器本体２の口部２ａに装着された有頂筒状のキャップ３と、を備えている。なお、内容物としては、例えば水のような液体などが挙げられるが、このような液体に限定されず、ゲル状や固体状の内容物など他の形態の内容物であってもよい。また、内容物としては、特に飲料や食品のような鮮度を要求されるものが好適に挙げられる。
【００１８】
容器本体２及びキャップ３は、それぞれの中心軸線が共通軸上に位置された状態で配設されている。本実施形態ではこの共通軸を容器軸Ｏといい、容器軸Ｏに沿ったキャップ３側を上側、容器本体２の底部２ｄ側を下側という。また、容器軸Ｏ方向から見た平面視において、容器軸Ｏに交差する方向を径方向といい、容器軸Ｏ回りに周回する方向を周方向という。
【００１９】
容器本体２は、図中上から順に、口部２ａ、肩部２ｂ、胴部２ｃ、及び底部２ｄを備えている。これら口部２ａ、肩部２ｂ、胴部２ｃ、及び底部２ｄは、それぞれの中心軸線を容器軸Ｏ上に位置させた状態で、この容器軸Ｏ方向の一方側から他方側に向けて連設されている。容器本体２は、例えば２軸延伸ブロー成形によりポリエチレンテレフタレート等の合成樹脂材料で一体に形成される。
【００２０】
肩部２ｂは、筒状の口部２ａの下端部から下方に向かうに従い漸次拡径するように形成されている。肩部２ｂの下方には、筒状の胴部２ｃが連設されている。胴部２ｃは、略同一の径で下方に延びている。胴部２ｃの下方には、有底筒状の底部２ｄが連設されている。底部２ｄは、胴部２ｃと略同径とされている。
【００２１】
胴部２ｃには、径方向内側に向けて段差状に窪むパネル部４が周方向に間隔をあけて等間隔に複数形成されるとともに、周方向で互いに隣り合うパネル部４の間が柱部５として形成されている。パネル部４及び柱部５は、胴部２ｃを径方向の外側から見たとき、容器軸Ｏ方向に対して周方向に傾斜するように形成されている。パネル部４が周方向に傾斜するように形成されることで、パネル面積を大きく確保可能となる。
【００２２】
パネル部４の四つの角部は、丸面取り状に湾曲し、内圧変化で変形した際にも応力集中を緩和できるようになっている。柱部５は、パネル部４よりも狭い周方向幅で容器軸Ｏ方向に延び、かつ上方及び下方に向かうほどやや太身となるように形成される。柱部５は補強リブとして機能し、径方向の力に対する抗力を高めて胴部２ｃの剛性を確保する。
【００２３】
容器本体２は、筒状の胴部２ｃに、一定方向に傾斜したパネル部４及び柱部５を周方向で等間隔に複数有するため、胴部２ｃに内圧変化吸収機能が付与される。すなわち、胴部２ｃは、容器本体２内の減圧発生に伴うパネル部４の径方向内側への陥没変形に加え、胴部２ｃ全体が捩じれ変形するように収縮変形することで、より大きな減圧吸収機能を発揮することができる。
【００２４】
キャップ３は、容器本体２を容器軸Ｏ方向に強制的に押し込んだ状態で口部２ａに装着されている。すなわち、容器本体２は、胴部２ｃが捩じれ変形した減圧収縮状態となっている。このときの胴部２ｃの全高をＨ１とする。なお、容器本体２に内容物を熱充填したり、また、内容物充填時に容器本体を減圧するなどしても、容器本体２を、胴部２ｃが捩じれ変形した減圧収縮状態とすることができる。
【００２５】
図２に示すように、容器本体２の口部２ａの外周面には、キャップ３が螺着される雄ネジ部１１が形成されている。雄ネジ部１１は、一条ネジであっても構わないし、多条ネジであっても構わない。また、口部２ａの雄ネジ部１１よりも下側の外周面には、環状突起１２が形成されている。環状突起１２は、径方向外側に向かって突出すると共に、周方向の全周に亘って外周面が延びている。環状突起１２の径方向外側へ向けた突出量は、雄ネジ部１１と同等とされている。
【００２６】
口部２ａの環状突起１２よりも下側の外周面には、ネックリング１３が形成されている。ネックリング１３は、径方向外側に向かって突出すると共に、周方向の全周にわたって外周面が延びている。ネックリング１３の径方向外側へ向けた突出量は、雄ネジ部１１及び環状突起１２よりも大きくなっている。
【００２７】
キャップ３は、容器本体２の口部２ａに装着された有頂筒状のキャップ本体２０と、キャップ本体２０の内側に支持された有頂筒状のライナー部材３０と、を備えている。キャップ本体２０及びライナー部材３０は、それぞれの中心軸が共通し、容器軸Ｏと同軸上に配設されている。
【００２８】
キャップ本体２０は、容器本体２の口部２ａを径方向外側から囲むキャップ周壁部２１と、キャップ周壁部２１の上端開口部を閉塞するキャップ頂壁部２２と、を備えている。キャップ周壁部２１の内周面には、容器本体２の口部２ａに形成された雄ネジ部１１に螺着する雌ネジ部２１ａが形成されている。これにより、キャップ本体２０は、雄ネジ部１１と雌ネジ部２１ａとの螺合によって、容器本体２の口部２ａに装着されている。
【００２９】
キャップ周壁部２１の下端部には、破断可能な連結弱化部２５を介してリング体２４が連結されている。リング体２４は、容器本体２の環状突起１２とネックリング１３との間に配置され、容器本体２の口部を径方向外側から囲んでいる。リング体２４の内周面には、径方向内側に向かって突出すると共に、周方向に間隔をあけて複数の突起片２４ａが形成されている。
【００３０】
突起片２４ａは、リング体２４の内周面の下端部側から径方向内側に向かって突出していると共に、径方向内側に向かうにしたがって漸次上方に延びるように形成されている。突起片２４ａの上端部は、容器本体２の口部２ａに形成された環状突起１２に対して下方から係止可能とされている。これにより、リング体２４は、環状突起１２より上方への抜け止めがされた状態で容器本体２の口部２ａを囲んでいる。
【００３１】
連結弱化部２５は、リング体２４の上端開口縁とキャップ周壁部２１の下端開口縁との間に形成され、リング体２４とキャップ周壁部２１とを容器軸Ｏ方向に一体に連結している。連結弱化部２５は、周方向に間隔をあけて複数形成されており、連結弱化部２５の肉厚はキャップ周壁部２１及びリング体２４の肉厚よりも小さくなっている。このため、連結弱化部２５は破断されやすくなっている。
【００３２】
ライナー部材３０は、容器本体２の口部２ａをシールする筒状のライナーシール部３１（第１のシール部）と、ライナーシール部３１の上端開口部を閉塞する円板状のライナー頂壁部３２と、ライナー頂壁部３２の径方向外端縁に連設され、ライナーシール部３１よりも径方向外側に延在する環状のライナー鍔部３３と、を有する。ライナーシール部３１、ライナー頂壁部３２、及びライナー鍔部３３は、それぞれの中心軸が共通し、容器軸Ｏと同軸上に配設されている。
【００３３】
ライナーシール部３１は、ライナー頂壁部３２の下面から容器軸Ｏ方向下側に垂設され、口部２ａの内周面に周方向に亘って接触している。ライナー頂壁部３２は、平板状に形成され、ライナー頂壁部３２の上側にはライナーキャップ空間４０が形成されている。ライナー鍔部３３は、ライナーシール部３１よりも径方向外側に向かって突出すると共に、周方向の全周にわたって外周面が延びている。
【００３４】
ライナー鍔部３３は、容器本体２の口部２ａの上端開口縁上に載置されると共に、当該上端開口縁よりも径方向外側まで延在している。ライナー鍔部３３の外径は、キャップ周壁部２１の内径よりも小さい。ライナー鍔部３３の径方向外端縁は、その下面側が下方に向かって拡張され、厚みが増している。キャップ周壁部２１の上端部には、ライナー鍔部３３の径方向外端縁を支持する支持突起２３が形成されている。
【００３５】
支持突起２３は、キャップ周壁部２１の雌ネジ部２１ａよりも上方の内周面から径方向内側に向かって突出し、ライナー鍔部３３の径方向外端縁に対して下方から係合可能とされている。これにより、ライナー部材３０は、キャップ本体２０の内側に支持されている。なお、ライナー鍔部３３が容器本体２の口部２ａの上端開口縁上に載置された状態では、支持突起２３は、ライナー鍔部３３の径方向外端縁から離間している。
【００３６】
キャップ周壁部２１は、雌ネジ部２１ａと連結弱化部２５との間に、容器本体２の口部２ａの外側をシールするシール内周面２１ｂ（第２のシール部）を有する。シール内周面２１ｂは、容器本体２の環状突起１２の外周面に周方向に亘って接触している。容器軸Ｏ方向におけるシール内周面２１ｂのシール長さＬ２は、容器軸Ｏ方向におけるライナーシール部３１のシール長さＬ１よりも大きい。すなわち、シール内周面２１ｂは、キャップ３を回して容器本体２を開栓するときに、ライナーシール部３１が口部２ａから離れても、口部２ａの外側をシール可能な構成となっている。
【００３７】
キャップ頂壁部２２には、キャップ３の内側と、キャップ３の外側とに連通し、キャップ３の内外の圧力差によって気体が通過する共鳴室５０（発音部）が形成されている。キャップ頂壁部２２は、二層構造となっており、キャップ周壁部２１の上端開口部を閉塞する有頂筒状の第１の頂壁部２２ａと、第１の頂壁部２２ａの上面に重なるように、ヒンジ部２６を介して第１の頂壁部２２ａの上端部に連結された有頂筒状の第２の頂壁部２２ｂと、を備えている。
【００３８】
第１の頂壁部２２ａの上面は、径方向内側に向かうに従って下方に逆ドーム状に窪んでおり、その中心に第１の貫通孔２２ａ１が形成されている。第１の貫通孔２２ａ１は、容器軸Ｏと同軸上に形成されている。また、第１の頂壁部２２ａの上面の外周縁部には、第２の頂壁部２２ｂが係合可能な係合突部２５ａが環状に形成されている。
【００３９】
第１の頂壁部２２ａは、キャップ周壁部２１の上端部に連設された周壁部２２ａ２を有する。周壁部２２ａ２の外径はキャップ周壁部２１の外径と同径であるが、周壁部２２ａ２の内径はキャップ周壁部２１の内径よりも小さい。すなわち、周壁部２２ａ２は、キャップ周壁部２１の内周面よりも径方向内側に段差状に突出しており、容器本体２の口部２ａの上端開口縁上に載置されたライナー鍔部３３の上面に接触している。
【００４０】
周壁部２２ａ２は、第１の頂壁部２２ａの下面よりも下方に延在し、ライナー部材３０との間に、ライナーキャップ空間４０を形成している。周壁部２２ａ２の下端開口縁には、ライナー部材３０の上側の空間（ライナーキャップ空間４０）と下側の空間（キャップ周壁部２１の内側の空間）とを連通させる連通溝２２ａ３が形成されている。連通溝２２ａ３は、容器軸Ｏを中心に放射状に延び、周壁部２２ａ２の下端開口縁に周方向に間隔をあけて複数形成されている。
【００４１】
第２の頂壁部２２ｂは、有頂筒状に形成され、その周壁部の内周面には、第１の頂壁部２２ａの係合突部２５ａが係合可能な係合溝部２５ｂが形成されている。第２の頂壁部２２ｂの下面は、第１の頂壁部２２ａの窪み形状を上下反転させた突形状を有しており、径方向内側に向かって上方にドーム状に突出し、その中心に第２の貫通孔２２ｂ１が形成されている。第２の貫通孔２２ｂ１は、容器軸Ｏと同軸上に形成されている。
【００４２】
ヒンジ部２６を中心に第２の頂壁部２２ｂを回動させると、第１の頂壁部２２ａの係合突部２５ａと係合溝部２５ｂとを係合させることができる。これにより、第１の頂壁部２２ａの窪み形状と、第２の頂壁部２２ｂの突形状が合わさり、第１の頂壁部２２ａと第２の頂壁部２２ｂとの間に扁平円体状（略、回転楕円体状）の共鳴室５０が形成される。
【００４３】
第１の貫通孔２２ａ１及び第２の貫通孔２２ｂ１を介して共鳴室５０を気体が通り抜けると、共鳴室５０においてカルマン渦が発生する。このカルマン渦により空気が振動し、この空気の振動が共鳴室５０内で共鳴して、大きな音を発生する。このような笛の原理により、キャップ３は音を発生することができる。
【００４４】
次に、上記構成のキャップ付き容器１を開栓する場合について説明する。
【００４５】
キャップ付き容器１を開栓する場合、図１に示す状態から、容器本体２の口部２ａに対してキャップ３を回して上方移動させる。このとき、図２に示すように、キャップ３の突起片２４ａは、口部２ａの環状突起１２に対して下方から係止しているので、キャップ３のうちリング体２４は上方移動が規制されている。そのため、キャップ３が回転に伴って上方に移動すると、徐々にリング体２４が容器軸Ｏ方向に離間する。これにより、連結弱化部２５に応力を作用させて、連結弱化部２５を破断させることができる。
【００４６】
その後、さらにキャップ３を回すと、図４に示すように、容器本体２の口部２ａをシールしていたキャップ本体２０のライナーシール部３１が口部２ａから離れ、キャップ本体２０の内側のライナーシール部３１よりも径方向外側と、口部２ａとが連通する。また、キャップ本体２０には、キャップ本体２０とライナー部材３０との間に形成されたライナーキャップ空間４０に連通する連通溝２２ａ３されており、連通溝２２ａ３を介してライナーシール部３１よりも径方向外側の空間とライナーキャップ空間４０とが連通する。
【００４７】
そして、キャップ３には、ライナーキャップ空間４０に連通する共鳴室５０が設けられており、キャップ３の内外の圧力差によって共鳴室５０を気体が通過すると、共鳴音が発生する。容器本体２は、減圧収縮状態（陰圧状態）であるため、開栓時にキャップ３の外側から内側に向かって気体（外気）が共鳴室５０を通過して、共鳴音が発生する。ここで、キャップ３は、ライナーシール部３１が口部２ａから離れた状態で、口部２ａの外側をシールするシール内周面２１ｂを有するため、開栓時におけるキャップ３の内外の圧力差を保持することができる。
【００４８】
また、キャップ３の内側に気体が流入すると、減圧収縮状態の容器本体２が復元変形する。すなわち、図３に示すように、容器本体２の胴部２ｃにおける捩じれ変形が緩和され、容器本体２が容器軸Ｏ方向に伸長する。このときの胴部２ｃの全高はＨ２であり、図１に示す胴部２ｃの全高をＨ１とすると、Ｈ２＞Ｈ１の関係を有する。このように、キャップ３を回し容器本体２を開栓すると、容器本体２は、Ｈ２とＨ１との差分だけ、復元変形により伸長して全高が高くなる。
【００４９】
以上説明したように、本実施形態に係るキャップ付き容器１によれば、キャップ３を回して容器本体２を開栓すると、減圧収縮状態の容器本体２が、復元変形により伸長して全高が高くなる。また、容器本体２の復元変形により容器本体２の内側に流入する外気によって、キャップ３に設けられた共鳴室５０から共鳴音が発せられる。このため、開栓したことが、視覚的にも聴覚的にも分かるようになる。
このように、キャップ３を容器本体２から離脱させたとき生じる音や形状の変化などにより、容器本体２を開栓している感覚をより一層高めることができる。また、このような音や形状の変化を通して、使用者は、キャップ付き容器１の開栓、開封が初めてなされたことを強く感じ、容器本体２内に収容されている内容物の新鮮さ（例えば内容物の鮮度が高い状態や鮮度が保たれた状態）を容易に認識することができる。
【００５０】
（第２実施形態）
次に、本発明の第２実施形態に係る吐出容器について説明する。以下の説明において、上述の実施形態と同一又は同等の構成については同一の符号を付し、その説明を簡略若しくは省略する。
【００５１】
図５及び図６に示すように、第２実施形態のキャップ付き容器１Ａは、容器本体２の口部２ａに装着された有頂筒状の内キャップ３Ａと、内キャップ３Ａの外側に着脱可能に装着された有頂筒状の外キャップ３Ｂと、を備えている。内キャップ３Ａは、容器本体２を容器軸Ｏ方向に押し込んだ状態で口部２ａに装着されている。すなわち、容器本体２は、第１実施形態と同様に、胴部２ｃが捩じれ変形した減圧収縮状態となっている。
【００５２】
図７に示すように、内キャップ３Ａ及び外キャップ３Ｂは、それぞれの中心軸が共通し、容器軸Ｏと同軸上に配設されている。第２実施形態では、ライナー部材３０が内キャップ３Ａの内側に支持されている。内キャップ３Ａは、容器本体２の口部２ａを径方向外側から囲む筒状の内キャップ周壁部２１Ａと、内キャップ周壁部２１Ａの上端開口部を閉塞する平板状の内キャップ頂壁部２２Ａと、を備えている。
【００５３】
内キャップ周壁部２１Ａの内周面には、雌ネジ部２１ａと、支持突起２３とが形成されている。また、内キャップ周壁部２１Ａの下端部には、破断可能な連結弱化部２５を介してリング体２４が連結されている。この内キャップ周壁部２１Ａの外周面には、容器軸Ｏ方向に沿って延びると共に、径方向外側に向けて突出した内キャップ外周リブ２１ｂ１が、周方向に間隔をあけて複数形成されている。
【００５４】
外キャップ３Ｂは、内キャップ３Ａを径方向外側から囲む筒状の外キャップ周壁部４１と、外キャップ周壁部４１の上端開口部を覆う外キャップ頂壁部４２と、を備えている。外キャップ３Ｂは、内キャップ３Ａよりも一回り大きく形成されており、内キャップ周壁部２１Ａと外キャップ周壁部４１の隙間、及び、内キャップ頂壁部２２Ａと外キャップ頂壁部４２との隙間が互いに連通した内外キャップ空間６０が形成されている。
【００５５】
外キャップ周壁部４１の内周面には、容器軸Ｏ方向に沿って延びると共に、径方向内側に向けて突出した外キャップ内周リブ４１ｂが周方向に間隔をあけて複数形成されている。外キャップ内周リブ４１ｂは、内キャップ外周リブ２１ｂ１と周方向において係合している。これにより、内キャップ３Ａは、外キャップ３Ｂと共に周方向に回転可能とされている。
【００５６】
外キャップ周壁部４１の外キャップ内周リブ４１ｂよりも下側には、内外キャップ空間６０をシールする外キャップシール内周面４１ａ（第２のシール部）が形成されている。外キャップシール内周面４１ａは、容器本体２のネックリング１３の外周面に周方向に亘って接触している。すなわち、外キャップ周壁部４１の下端部は、ネックリング１３よりも下方まで延在している。
【００５７】
容器軸Ｏ方向における外キャップシール内周面４１ａのシール長さＬ２は、容器軸Ｏ方向におけるライナーシール部３１のシール長さＬ１よりも大きい。すなわち、キャップ３を回して容器本体２を開栓するときに、ライナーシール部３１が口部２ａから離れても、外キャップシール内周面４１ａは、口部２ａの外側をシール可能な構成となっている。
【００５８】
外キャップ頂壁部４２には、共鳴室５０が形成されている。外キャップ頂壁部４２は、二層構造となっており、外キャップ周壁部４１の上端開口部を閉塞する第１の外キャップ頂壁部４２ａと、第１の外キャップ頂壁部４２ａの上面に重なるように、外キャップヒンジ部４４を介して外キャップ周壁部４１の上端部に連結された第２の外キャップ頂壁部４２ｂと、を備えている。
【００５９】
第１の外キャップ頂壁部４２ａの下面には、外キャップ内周リブ４１ｂの上端部に連設された拡張リブ４１ｃが接続されている。拡張リブ４１ｃは、外キャップ内周リブ４１ｂよりも径方向内側に段差状に突出し、内キャップ頂壁部２２Ａの上面に当接している。拡張リブ４１ｃは、第１の外キャップ頂壁部４２ａの下面において周方向に隙間をあけて形成され、内キャップ頂壁部２２Ａとの間に容器軸Ｏ方向における隙間を形成する。
【００６０】
第１の外キャップ頂壁部４２ａの拡張リブ４１ｃの接続位置よりも径方向内側は、径方向内側に向かうに従って下方に窪む逆ドーム状に形成され、その中心に第１の外キャップ貫通孔４２ａ１が形成されている。第１の外キャップ貫通孔４２ａ１は、容器軸Ｏと同軸上に形成されている。また、第１の外キャップ頂壁部４２ａの外周縁部には、第２の外キャップ頂壁部４２ｂが係合可能な外キャップ係合突部４５ａが環状に形成されている。
【００６１】
第２の外キャップ頂壁部４２ｂは、有頂筒状に形成され、その周壁部の内周面には、第１の外キャップ頂壁部４２ａの外キャップ係合突部４５ａが係合可能な外キャップ係合溝部４５ｂが形成されている。第２の外キャップ頂壁部４２ｂの頂壁部は、第１の外キャップ頂壁部４２ａの窪み形状を上下反転させた突形状を有しており、径方向内側に向かって上方に突出するドーム状に形成され、その中心に第２の外キャップ貫通孔４２ｂ１が形成されている。第２の外キャップ貫通孔４２ｂ１は、容器軸Ｏと同軸上に形成されている。
【００６２】
外キャップヒンジ部４４を中心に第２の外キャップ頂壁部４２ｂを回動させると、第１の外キャップ頂壁部４２ａの外キャップ係合突部４５ａと外キャップ係合溝部４５ｂとを係合させることができる。これにより、第１の外キャップ頂壁部４２ａの窪み形状と、第２の外キャップ頂壁部４２ｂの突形状が合わさり、第１の外キャップ頂壁部４２ａと第２の外キャップ頂壁部４２ｂとの間に略扁平円体状（略回転楕円体状）の共鳴室５０が形成される。
【００６３】
第１の外キャップ貫通孔４２ａ１及び第２の外キャップ貫通孔４２ｂ１を介して共鳴室５０を気体が通り抜けると、共鳴室５０においてカルマン渦が発生する。このカルマン渦により空気が振動し、この空気の振動が共鳴室５０内で共鳴して、大きな音を発生する。このような笛の原理により、キャップ３は音を発生することができる。
【００６４】
次に、上記構成のキャップ付き容器１Ａを開栓する場合について説明する。
【００６５】
キャップ付き容器１Ａを開栓する場合、図７に示す状態から、容器本体２の口部２ａに対してキャップ３を容器軸Ｏ回りに回し、キャップ３を上方移動させる。このとき、キャップ３の突起片２４ａは、口部２ａの環状突起１２に対して下方から係止しているので、キャップ３のうちリング体２４は上方移動が規制されている。そのため、キャップ３が回転に伴って上方に移動すると、徐々にリング体２４が容器軸Ｏ方向に離間する。これにより、連結弱化部２５に応力を作用させて、連結弱化部２５を破断させることができる。
【００６６】
その後、さらにキャップ３を回すと、図８に示すように、容器本体２の口部２ａをシールしていた内キャップ３Ａに支持されたライナー部材３０のライナーシール部３１が口部２ａから離れ、内キャップ３Ａの内側のライナーシール部３１よりも径方向外側（内キャップ周壁部２１Ａの外周面と口部２ａの内周面との隙間空間）と、口部２ａとが連通する。また、内キャップ３Ａの装着された外キャップ３Ｂは、ライナーシール部３１が口部２ａから離れた状態で、口部２ａの外側をシールする外キャップシール内周面４１ａを有するため、内キャップ３Ａと外キャップ３Ｂとの間に形成された内外キャップ空間６０に圧力が保持される。そして、外キャップ３Ｂには、内外キャップ空間６０に連通する共鳴室５０が設けられているため、キャップ３の内外の圧力差によって共鳴室５０を気体が通過し、共鳴音が発生する。
【００６７】
以上説明したように、第２実施形態に係るキャップ付き容器１Ａによれば、容器本体２を封止するための内キャップ３Ａの外側に、共鳴室５０を有する外キャップ３Ｂを装着することにより、開栓時に共鳴音を発生させることができるようになる。このため、例えば、従来のキャップ付き容器に、外キャップ３Ｂをアタッチメントとして装着することで、第１実施形態と同様の作用効果を奏することが可能となる。
【００６８】
なお、本発明の技術的範囲は上述した実施形態に限定されるものではなく、本発明の趣旨を逸脱しない範囲において種々の変更を加えることが可能である。
【００６９】
例えば、容器本体２は、減圧収縮状態で捩じれ変形する胴部２ｃを備える形態について説明したが、例えば、容器本体２の胴部２ｃが減圧状態で収縮可能な蛇腹形状を備える形態を採用してもよい。
【００７０】
また、例えば、上記実施形態では、ライナーシール部３１（第１のシール部）が、口部１０の内周面をシールする形態について説明したが、ライナー鍔部３３が第１のシール部となって、口部１０の上端面（上端開口縁）をシールしても、上記実施形態と同様の作用効果を得ることができる。
【００７１】
また、例えば、上記実施形態では、発音部として共鳴室５０を例示したが、例えば、キャップ３内に外気が流入する流路が設けられ、その流路に一端が固定端とされ、他端が自由端とされた薄膜片が設けられ、その薄膜片が流入する外気により振動することにより音を発生させる構成であってもよい。
【００７２】
その他、本発明の趣旨に逸脱しない範囲で、前記実施形態における構成要素を周知の構成要素に置き換えることは適宜可能である。
【符号の説明】
【００７３】
１  キャップ付き容器
１Ａ  キャップ付き容器
２  容器本体
２ａ  口部
３  キャップ
３Ａ  内キャップ
３Ｂ  外キャップ
４  パネル部
５  柱部
１２  環状突起
１３  ネックリング
２０  キャップ本体
２１  キャップ周壁部
２１Ａ  内キャップ周壁部
２１ｂ  シール内周面（第２のシール部）
２２  キャップ頂壁部
２２Ａ  内キャップ頂壁部
２２ａ３  連通溝
３０  ライナー部材
３１  ライナーシール部（第１のシール部）
３２  ライナー頂壁部
３３  ライナー鍔部
４０  ライナーキャップ空間
４１  外キャップ周壁部
４１ａ  外キャップシール内周面（第２のシール部）
４２  外キャップ頂壁部
５０  共鳴室（発音室）
６０  内外キャップ空間
Ｏ  容器軸
【図１】
2020001778.tif 000003
【図２】
2020001778.tif 000004
【図３】
2020001778.tif 000005
【図４】
2020001778.tif 000006
【図５】
2020001778.tif 000007
【図６】
2020001778.tif 000008
【図７】
2020001778.tif 000009
【図８】
2020001778.tif 000010